(57)【要約】【課題】簡単な構造で、取り出し自在な見出し部を有するクリアファイルを提供すること。【解決手段】クリアファイル１０の右側表紙１５に、表紙１５の長手方向に沿って、見出し部１０を５個配列する。見出し部１０は見出し片２５と支持部２６とを備え、これらの周囲には切り込み２１と切り離し部２２が設けられている。支持部２６の短辺部分は、折り曲げ自在なミシン目部２４となっており、切り離し部２２に力を加えて見出し部１０を表紙１５から切り離した状態では、見出し部１０はミシン目部２４を中心として回動自在となる。見出し部１０を表紙１５の前縁まで回動させ、係止部２３と支持部２６との間に表紙１５の前縁を挟むことにより、前縁から見出し片１５が突出した状態となる。【選択図】図１
0003193081.tif 000002
【実用新案登録請求の範囲】
【請求項１】
樹脂等のシートを２つ折りにして、少なくとも背部と底部とを綴じ合わせたクリアファイルにおいて、
前記クリアファイルのいずれかの表紙に、当該表紙の縁に沿って複数個配列された見出し部を備え、
前記見出し部は、
前記表紙から切り離し容易に形成された切り離し部と、
前記表紙の縁と略平行となるように形成された折り曲げ部と、
見出しを記入する見出し片と、
前記見出し片と連続して形成された支持部と、を備え、
前記見出し部を前記折り曲げ部を中心して前記縁まで回動させた際に、前記見出し部を係止する係止部を備える、
ことを特徴とするクリアファイル。
【請求項２】
前記表紙の縁に沿った方向における前記見出し片の幅は、前記支持部の幅よりも大きく、
前記見出し部は、略Ｔ字状に形成されており、
前記係止部は、前記支持部に形成されており、前記係止部と前記支持部との間に前記縁を挟んで前記見出し部を係止する、
ことを特徴とする請求項１に記載のクリアファイル。
【請求項３】
前記係止部は、前記縁と前記折り曲げ部との間の位置において前記表紙に形成された切り込み部であり、当該切り込み部に前記見出し部を差し込むことにより前記見出し部を係止する、
ことを特徴とする請求項１に記載のクリアファイル。
【請求項４】
前記見出し片上には、塗装部が形成されている、
ことを特徴とする請求項１ないし請求項３のいずれか１項に記載のクリアファイル。
【考案の詳細な説明】
【技術分野】
【０００１】  本考案は、取り付け自在な見出しを備えたクリアファイルに関する。
【背景技術】
【０００２】  クリアファイルは、ポリプロピレン等の透明の素材を所定のシート形状に切断し、中央部で折り曲げて底面部をウェルダー等で融着することにより製造する。このように製造することにより、クリアファイルの底面部と中央部が綴じ合わされ、上面部と手前部が開放されているので、書類等をクリアファイル内に保持することができる。【０００３】  クリアファイルの素材が透明なので、クリアファイルの内部に保持された書類を外部から容易に確認することができ、書類の整理、保管に便利である。【０００４】  しかしながら、書類を保持したクリアファイルが増え、複数のクリアファイルをまとめて保管する場合には、特定のクリアファイルをその中から探し出すのは容易ではない場合がある。【０００５】  そこで、特許文献１のように、見出し部をスライドさせて取り出すことのできるクリアファイルが提案されている。
【先行技術文献】
【特許文献】
【０００６】
【特許文献１】特開２０１３−０５２６７４号公報
【考案の概要】
【考案が解決しようとする課題】
【０００７】  しかしながら、特許文献１の方法は構造が複雑で、多数の製造工程が必要となってしまう。その結果、コストが上昇してしまうという問題があった。【０００８】  本考案は、上述した事情に鑑みてなされたものであり、簡単な構造で、取り出し自在な見出し部を有するクリアファイルを提供することを解決課題とする。
【課題を解決するための手段】
【０００９】  以上の課題を解決するため、本考案に係るクリアファイルは、樹脂等のシートを２つ折りにして、少なくとも背部と底部とを綴じ合わせたクリアファイルにおいて、前記クリアファイルのいずれかの表紙に、当該表紙の長手方向に沿って複数個配列された見出し部を備え、前記見出し部は、前記表紙から切り離し容易に形成された切り離し部と、前記表紙の長手方向に延びる前縁と略平行となるように形成された折り曲げ部と、見出しを記入する見出し片と、前記折り曲げ部を一辺とし、前記見出し片と連続して形成された支持部と、前記支持部に形成され、前記見出し部を前記折り曲げ部を中心して前記前縁まで回動させた際に、前記支持部との間で前記前縁を挟んで前記見出し部を係止する係止部とを備えることを特徴する。【００１０】  本考案によれば、複数個配列された見出し部のうちから、いずれかの見出し部を選択し、選択した見出し部の切り離し部に力を加えることより、見出し部を表紙から切り離し、折り曲げ部を中心にして、見出し部を表紙の前縁部まで回動させ、支持部に形成された係止部と、支持部との間で前縁を挟み、見出し部を表紙に係止することにより、見出し片がクリアファイルの表紙から突出した状態となる。したがって、簡単な構成により、クリアファイルの所望の位置に見出しを取り付けることができる。
【図面の簡単な説明】
【００１１】
【図１】本考案の第１実施形態に係るクリアファイルを示す平面図である。
【図２】本考案の第１実施形態に係るクリアファイルの見出し部を表紙の前縁まで回動させた状態を示す平面図である。
【図３】本考案の第１実施形態に係るクリアファイルの見出し部を表紙の前縁まで回動させた状態を示す部分斜視図である。
【図４】本考案の第１実施形態に係るクリアファイルの見出し部を表紙の前縁まで回動させ、係止部と支持部により表紙の前縁を挟んだ状態を右側の表紙側から見た平面図である。
【図５】本考案の第１実施形態に係るクリアファイルの見出し部を表紙の前縁まで回動させ、係止部と支持部により表紙の前縁を挟んだ状態を示す部分斜視図である。
【図６】本考案の第１実施形態に係るクリアファイルの見出し部を表紙の前縁まで回動させ、係止部と支持部により表紙の前縁を挟んだ状態を左側の表紙側から見た平面図である。
【図７】本考案の第２実施形態に係るクリアファイルを示す平面図である。
【図８】本考案の第３実施形態に係るクリアファイルを示す平面図である。
【図９】本考案の第３実施形態に係るクリアファイルの見出し部を切り込み部に差し込む状態を示す部分斜視図である。
【図１０】本考案の変形例に係るクリアファイルを示す平面図である。
【図１１】本考案の変形例に係るクリアファイルを示す平面図である。
【考案を実施するための形態】
【００１２】  以下、この考案の好適な実施の形態を、添付図面等を参照しながら詳細に説明する。ただし、各図において、各部の寸法および縮尺は、実際のものと適宜に異ならせてある。また、以下に述べる実施の形態は、本考案の好適な具体例であるから、技術的に好ましい種々の限定が付されているが、本発明の範囲は、以下の説明において特に本考案明を限定する旨の記載がない限り、これらの形態に限られるものではない。
【００１３】＜第１実施形態＞
図１は、本考案の第１実施形態にクリアファイルを示す側面図である。図１に示すように、クリアファイル１０は、矩形状に切断したポリプロピレン等の透明樹脂フィルムを２つ折りにした山折り部分の背部１１と、ウェルダー等によって融着した底部１２と、綴じ合わされていない上部１３および手前部１４とを有する。また、クリアファイル１０は、背部１１を中心として右側に開く右側表紙１５と、半円形状の切欠き部が形成され、背部１１を中心として左側に開く左側表紙１６とを有する。
【００１４】  右側表紙１５には、図１に示すように、見出し部２０が、手前部１４側に複数個設けられている。見出し部２０の個数は適宜変更可能であるが、本実施形態では、一例として、５個となっている。
【００１５】  見出し部２０は、略Ｔ字状の形状を有しており、見出しを記載する見出し片２５と、見出し片２５を支持する支持部２６とを備えている。見出し片２５と支持部２６の周囲には、図１に実線で示すように予め切り込み２１が入っている。また、見出し片２５の長辺部分には、切り離し可能に形成された切り離し部２２が形成されており、この切り離し部２２に力を加えることにより、見出し部２０を右側表紙１５から切り離すことが可能になっている。但し、支持部２６の短辺部分には、見出し部２０の折り曲げを容易とする折り曲げ部としてのミシン目部２４が形成されている。したがって、切り離し部２２に力を加えて見出し部２０を右側表紙１５から切り離しても、ミシン目部２４は右側表紙１５に繋がった状態になっている。したがって、切り離し部２２に力を加えて見出し部２０を右側表紙１５から切り離すと、見出し部２０の全体が右側表紙１５から切り離される訳ではなく、ミシン目部２４を中心として、見出し部２０を回動させることができる。なお、見出し部２０に形成された係止部２３にも予め切り込みが入っている。但し、これらは一例であり、予め切り込みを入れた部分を、切り離し容易に形成された切り離し部としてもよいし、切り離し部を切り込み部として形成してもよい。
【００１６】  つまり、クリアファイル１０の出荷時においては、見出し部２０は、いずれかの部分が右側表紙１５と繋がっている。しかし、切り離し部２２が一部または全体に形成されているため、ユーザがいずれかの見出し部２０を選択して、切り離し部２２に力を加えることにより、見出し部２０は右側表紙１５から切り離され、ミシン目部２４を中心として回動可能になる。
【００１７】  図２は、最上部の見出し部２０を右側表紙１５から切り離し、手前部１４側に回動させた状態を示している。このように見出し部２０を回動させると、図２に斜線で示す領域は開口部３０となる。
【００１８】  図３は、手前部１４側に回動させた見出し部２０を拡大して示した図である。上述したように、係止部２３には予め切り込みが入っているため、係止部２３と見出し部２０との間には隙間３１が形成されている。見出し部２０を手前部１４まで回道させ、見出し部２０の前縁を隙間３１に挟み込むことにより、図４に示すように見出し部２０は右側表紙１５に係止される。図４に示す開口部３２は、係止部２３の周囲の切り込みによって形成される開口部であり、図４に示す状態では、開口部３２から右側表紙１５の一部が見えるようになっている。つまり、図５に示すように、係止部２３は、右側表紙１５の裏面と接触しており、係止部２３と見出し部２０の支持部２６とにより、右側表紙１５を挟み込むようになっている。
【００１９】  このように、係止部２３と見出し部２０の支持部２６とにより、右側表紙１５を挟み込むようにすると、図６に示すように、クリアファイル１０に見出し片２５が取り付けられた状態となる。したがって、見出し片２５に見出しを記載することにより、クリアファイル１０に収納する書類等の内容等を見出しにより容易に把握することができる。また、クリアファイル１０を鞄あるいはトレイ等に収納する際に、見出し片２５が邪魔になるようであれば、見出し部２０の係止部２３を右側表紙１５から取り外し、見出し部２０を図１のように当初の位置に戻せばよい
【００２０】  また、上述した例では、最上段の見出し部２０を右側表紙１５から切り離したが、本実施形態では一例として５個の見出し部２０が設けられているため、クリアファイル１０に収納する書類等の内容等に応じて、切り離す見出し部２０を適宜選択して、図６に示すようにクリアファイル１０に見出し片２５が取り付けられた状態とすることができる。このようにすれば、複数のクリアファイル１０を並べて棚等に収納する場合でも、見出し片２５の位置が重ならず、個々のクリアファイル１０を容易に認識することができる。
【００２１】＜第２実施形態＞
次に、本考案の第２実施形態について図７を参照して説明する。本実施形態は、図７に示すように、見出し部２０の見出し片２５の表面に、予め塗装部４０が形成されているところが第１実施形態と異なる。
【００２２】  塗装部４０は、例えば白色の塗装により形成されている。見出し片２５は一直線上に並んでいるため、自動化された塗装装置等により、塗装部４０を一括で形成することが可能となっている。このような塗装部４０を形成することにより、図６に示すようにリアファイル１０に見出し２５を取り付けられた状態とした際に、塗装部４０上にサインペン等を使用して、容易に見出しを記載することができて便利である。
【００２３】＜第３実施形態＞
次に、本考案の第３実施形態について図８及び図９を参照して説明する。本実施形態は、見出し部の形状を矩形とし、クリアファイルの表紙側に係止部を設けた例である。
【００２４】  本実施形態における見出し部５０は、図８に示すように、右側表紙１５の上部１３側に複数個設けられている。見出し部５０の個数は適宜変更可能であるが、本実施形態では、一例として、５個となっている。
【００２５】  見出し部５０は、矩形に形成されている。本実施形態においては、見出し片５５と支持部５６との形状の違い及び境目といったものはなく、見出し部５０を上部１３側に回動させて係止部としての切り込み部５３に差し込んだ際に、上部１３よりも上側に突出した部分が見出し片５５となり、その他の部分が支持部５６となる。
【００２６】  このような見出し片２５と支持部２６とを備える見出し部５０の周囲には、図８に実線で示すように予め切り込５１が入っている。また、見出し部５０の短辺部分には、切り離し可能に形成された切り離し部５２が形成されており、この切り離し部５２に力を加えることにより、見出し部５０を右側表紙１５から切り離すことが可能になっている。また、切り離し部５２とは反対側の見出し部５０の短辺部分には、見出し部５０の折り曲げを容易とする折り曲げ部としてのミシン目部５４が形成されている。したがって、切り離し部５２に力を加えて見出し部５０を右側表紙１５から切り離しても、ミシン目部５４は右側表紙１５に繋がった状態になっている。したがって、切り離し部５２に力を加えて見出し部５０を右側表紙１５から切り離すと、見出し部５０の全体が右側表紙１５から切り離される訳ではなく、ミシン目部５４を中心として、見出し部５０を回動させることができる。なお、これらは一例であり、予め切り込みを入れた部分を、切り離し容易に形成された切り離し部としてもよいし、切り離し部を切り込み部として形成してもよい。なお、図８に示すように見出し部５０を回動させると、図８に斜線で示す領域は開口部６０となる。
【００２７】  さらに、本実施形態においては係止部としての切り込み部５３が、上部１３の縁とミシン目部５４の間の位置に設けられている。なお、これは一例であり、切り込み部５３を切り離し容易に形成された切り離し部としてもよい。
【００２８】  以上のような本実施形態において、クリアファイル１０の出荷時においては、見出し部５０は、いずれかの部分が右側表紙１５と繋がっている。しかし、切り離し部５２が一部または全体に形成されているため、ユーザがいずれかの見出し部５０を選択して、切り離し部５２に力を加えることにより、見出し部５０は右側表紙１５から切り離され、ミシン目部５４を中心として回動可能になる。
【００２９】  そして、図９に示すように、見出し部５０の先端部を切り込み部５３に差し込み、見出し部５０の撓みがなくなるように、つまり、図８に示す位置まで見出し部５０を回動させる。このようにすることによって、切り込み部５３は、見出し部５０を係止させる係止部として機能する。また、見出し部５０の見出し片５５が右側表紙１５から突出し、見出しとして機能することになる。見出し片５５に文字等を書き込む等の処理を行うこともできる。
以上説明したように、本実施形態によれば、シンプルな形状かつ簡単な構造でクリアファイルの見出し部を実現することができる。
【００３０】＜変形例＞
（１）第１実施形態では、見出し部２０の形状を略Ｔ字状としたが、本考案はこのような例に限定されるものではなく、例えば、第１実施形態の態様において矩形の形状の見出し部２０としてもよい。
（２）第１実施形態では、見出し部２０をクリアファイル１０の手前部１４に沿って複数個配置する例について説明したが、本考案はこのような例に限定されるものではなく、クリアファイル１０の上部１３に沿って見出し部２０を複数個配置してもよい。
（３）第３実施形態では、見出し部５０をクリアファイル１０の上部１３に沿って複数個配置する例について説明したが、本考案はこのような例に限定されるものではなく、クリアファイル１０の手前部１４に沿って見出し部５を複数個配置してもよい。
（４）また、図１０に示すように、見出し部２０と見出し部５０を混在させてもよい。混在させる場合にも、上部１３に沿って見出し部２０を複数個配置してもよいし、手前部１４に沿って見出し部５０を複数個配置してもよい。あるいは、上部１３に沿って見出し部２０と見出し部５０とを混在させて複数個配置してもよいし、手前部１４に沿って見出し部２０と見出し部５０を混在させて複数個配置してもよい。
（５）第１実施形態及び第２実施形態では、見出し部２０の個数を５個とした例について説明したが、本考案はこのような例に限定されるものではなく、個数は適宜変更可能である。同様に、第３実施形態では、見出し部５０の個数を５個とした例について説明したが、本考案はこのような例に限定されるものではなく、例えば図１１に示すように９個とする等、個数は適宜変更可能である。
（６）第２実施形態で説明した塗装部４０を、第３実施形態の見出し部５０の見出し片５５に設けるようにしてもよい。また、塗装部４０は白色の塗装により形成する例について説明したが、本考案はこのような例に限定されるものではなく、塗装部４０を他の色の塗装で形成するようにしてもよい。
【符号の説明】
【００３１】  １０…クリアファイル、１１…背部、１２…底部、１３…上部、１４…手前部、１５…右側表紙、１６…左側表紙、２０，５０…見出し部、２３，５３…係止部、２４，５４…ミシン目部、２５，５５…見出し片、２６，５６…支持部。
【図１】
0003193081.tif 000003
【図２】
0003193081.tif 000004
【図３】
0003193081.tif 000005
【図４】
0003193081.tif 000006
【図５】
0003193081.tif 000007
【図６】
0003193081.tif 000008
【図７】
0003193081.tif 000009
【図８】
0003193081.tif 000010
【図９】
0003193081.tif 000011
【図１０】
0003193081.tif 000012
【図１１】
0003193081.tif 000013